(57)【要約】      （修正有）【課題】補助ラッチを有する３点締りの非常用扉において、ドアボルトの没入と上下補助ラッチの解除とを円滑に動作させることができ、開扉後の再施錠も確実に行われ、しかも施解錠状態の監視が容易な開閉装置を提供する。【解決手段】ウイング１０の戸先近傍に取り付けられるケースロック２０に、モーター施解錠型の本締電気錠を採用する。デッドボルト２１は通常時、電気的制御によって出没するとともに、非常時にはプッシュハンドル３０の押し下げ操作によって通電状態に関わらず機械的に没入する。上下の補助ラッチ４３、４４も、プッシュハンドル３０の押し下げ操作に連動して機械的に解錠される。ウイング１０の屋外側には、電気錠を機械的に解錠するシリンダー錠と、シリンダー錠の解錠によって操作可能になるレバーハンドルが取り付けられ、レバーハンドルの操作で補助ラッチ４３、４４が解除される。【選択図】図１
2013213375.tif 000002
【特許請求の範囲】
【請求項１】
屋外側に向けて開扉されるウイングと、前記ウイングの屋内吊元側及び屋内戸先側にそれぞれ設けられたハンドル座を介して押し下げ方向に揺動自在に取り付けられたプッシュハンドルと、前記ウイングの戸先側に設けられて錠面からドアボルトを出没させるケースロックと、前記屋内戸先側のハンドル座から上方及び下方に延設されたロッドの先端にそれぞれ設けられる上下一対の補助ラッチと、を具備し、
前記ドアボルトが、片開き式の非常用扉にあっては扉枠の縦枠、両開き式の非常用扉にあっては相手方ウイングの戸先側に設けられるストライクに係合し、かつ、前記上下の補助ラッチが扉枠の上枠及び下枠にそれぞれ係合することにより、ウイングが閉扉状態に保持される一方、
前記プッシュハンドルを押し下げると、前記ドアボルトが前記ケースロック内に没入して前記ストライクとの係合が外れるとともに、前記各ロッドが前記屋内戸先側のハンドル座側に引き寄せられて前記扉枠に対する前記補助ラッチの係合が外れ、ウイングが開扉可能になる非常用扉の開閉装置において、
前記ケースロックは、通電時においては前記ドアボルトの出没が電気的に制御され、開扉されたウイングが再度、閉扉されて所定時間を経過するとドアボルトが突出して施錠状態に復帰する電気錠であるとともに、
前記ケースロックには屋内側から解錠ハブが係合し、前記プッシュハンドルの押し下げ操作に連動して前記解錠ハブが回動することにより、通電状態に関わらず機械的にドアボルトが没入して前記ケースロックが解錠されることを特徴とする非常用扉の開閉装置。
【請求項２】
請求項１に記載の非常用扉の開閉装置において、
前記プッシュハンドルの押し下げ操作により、通電状態に関わらず、前記補助ラッチに連結された上下の各ロッドが機械的に前記屋内戸先側のハンドル座側に引き寄せられて補助ラッチが解除されることを特徴とする非常用扉の開閉装置。
【請求項３】
請求項１または２に記載の非常用扉の開閉装置において、
前記ウイングの屋外側にシリンダー錠が取り付けられ、このシリンダー錠が前記ケースロックに屋外側から係合し、このシリンダー錠のキー操作により、通電状態に関わらず機械的にドアボルトが没入して前記ケースロックが解錠されることを特徴とする非常用扉の開閉装置。
【請求項４】
請求項３に記載の非常用扉の開閉装置において、
前記ウイングの屋外側にレバーハンドルまたはこれに準じるノブその他の把手部材が取り付けられ、該把手部材は施錠時には操作不能に拘束される一方、
前記シリンダー錠のキー操作に連動して前記把手部材の拘束が解除され、
前記把手部材の操作により、通電状態に関わらず、前記補助ラッチに連結された上下の各ロッドが機械的に前記屋内戸先側のハンドル座側に引き寄せられて補助ラッチが解除されることを特徴とする非常用扉の開閉装置。
【請求項５】
請求項４に記載の非常用扉の開閉装置において、
屋内戸先側のハンドル座には、上下の補助ラッチのロッドにそれぞれ連結されプッシュハンドルの押し下げ操作に連動して昇降する上下一対のリトラクタと、前記上下のリトラクタ間に係合しリトラクタの昇降に連動して回動するリトラクタカムと、前記リトラクタカムの回動を前記解錠ハブに伝える歯車と、解錠ハブの回動に連動して昇降する切替プレートと、を具備する屋内側の解錠機構が組み込まれる一方、
屋内戸先側のハンドル座には、前記把手部材の基部を回動自在に保持するレバーハブと、前記レバーハブの回動を拘束するレバーストッパーと、前記レバーストッパーを昇降させるレバーストッパー昇降プレートと、前記レバーハブの操作によって昇降する屋外側リトラクタと、を具備する屋外側の解錠機構が組み込まれ、
屋内側の前記切替プレートと屋外側の前記レバーストッパー昇降プレートとが前記ウイングを貫通する切替バーを介して連結され、
前記シリンダー錠のキー操作により前記解錠ハブが回動すると、これに連動して前記切替プレート、前記レバーストッパー昇降プレート及び前記レバーストッパーがそれぞれ下降し、前記レバーハブの拘束が解除されて前記把手部材の操作が可能になり、
前記把手部材の操作によって前記屋外側リトラクタが上昇し、該屋外側リトラクタに取り付けられて屋内側に延設されたレバー用解錠バーが前記屋内側の解錠機構を解錠側に動かして補助ラッチが解除されることを特徴とする非常用扉の開閉装置。
【発明の詳細な説明】
【技術分野】
【０００１】
本発明は、各種施設に設置される非常用扉を、非常時に円滑に開放するための開閉装置に関する。
【背景技術】
【０００２】
大勢の人々が利用する公共施設や商業施設等においては、火災その他の緊急事態が発生した際に、人々が迅速に屋外へと脱出することのできる避難経路を確保する必要がある。そのような避難経路に設置される非常用扉の開閉装置としては、例えば特許文献１〜３に開示されたものが公知である。
【０００３】
かかる開閉装置の基本的な構成は、ウイング（戸体）の屋内側に取り付けられた横長のプッシュハンドル（パニックハンドル）を押し下げると、該ハンドルに連結されたアームが、ウイングの戸先近傍に取り付けられたケースロック（箱錠）の機構部を解錠方向に動かして、錠面から突出しているドアボルト（デッドボルト又はラッチボルト）を没入させることにより、ウイングの拘束が解除されて開扉可能になる、というものである。ドアボルトによる施錠と併せて、ケースロックから上下方向に延設したロッドの先端に補助ラッチを設け、それら補助ラッチが上下の扉枠に係合するように構成した、いわゆる３点締り式の開閉装置もよく利用されている。このような開閉装置は、非常口に押し寄せる人波の圧力によってウイングを屋外側へと無理なく押し開き、人々を円滑に避難させることができる、という利点を有する。
【０００４】
この種の非常用扉は、例えば劇場や映画館、大規模な商業施設、大型病院等、不特定多数の人が利用する施設にあっては、間口を大きく取ることのできる両開き方式で設置されることが多い。また、限定された人が利用する業務施設や高層ビルの避難階段等にあっては、片開きとなるように設置されることが多い。いずれにしても、それらの開閉装置は、ケースロックの錠面から突出するドアボルトが、両開きの場合は相手側のウイング、片開きの場合は扉枠に設けられたストライク（受座）に係合することによって、閉扉状態を保持するように構成される。
【先行技術文献】
【特許文献】
【０００５】
【特許文献１】特開昭６０−２５３６７５号公報
【特許文献２】実開昭６３−１５２８８０号公報
【特許文献３】特開平８−８６１３３号公報
【発明の概要】
【発明が解決しようとする課題】
【０００６】
この種の非常用扉は、緊急時の安全性を担保するため、屋内側（退室側）からは常に、特殊な解錠操作を要することなく誰でも簡単に開扉できる状態に保たれなければならない。しかし一方で、屋外側（入室側）に対しては、防犯その他の事情により、平常時は施錠して、勝手に開扉されないようにしておかなければならない。そのための施錠手段として、ケースロックの屋外側にシリンダー錠を設け、入室する際にはキーをシリンダー錠に挿入して解錠する、という方式の開閉装置がよく利用される。
【０００７】
そのような開閉装置においては、屋外側からキーでシリンダー錠を回し、レバーハンドルやノブ等を操作してケースロックを解錠する機構と、屋内側からプッシュハンドルを押し下げてケースロックを解錠する機構とを、簡素な部品構成によって合理的に連動させることが求められる。とりわけ、補助ラッチを有する３点締りの開閉装置にあっては、１回の解錠操作（シングル・アクション）で、ドアボルトの没入と、上下の補助ラッチの解除という、動作位置及び動作方向の異なる３種類の動作を円滑かつ確実に連繋させることが、機構設計上の重要な留意点となる。
【０００８】
さらに、屋内側から開扉して退室する場合、及び屋外側からシリンダー錠を解錠して入室する場合のいずれにあっても、開扉されたウイングが、そのまま解錠状態で放置されると、防犯上、支障をきたす。そこで、開扉されたウイングが再度、閉じられたら、自動的に、或いは適当な手動操作によって施錠状態に復帰する機構も必要になる。かかる再施錠のための機構についても、開閉装置全体の部品構成を複雑化させすぎることのないよう、前述した解錠のための機構と一体的に構成されなければならない。
【０００９】
また、比較的、人の出入りが多い施設（例えば、大規模オフィスビル、複合型商業施設、大型スポーツ施設、劇場、総合病院等）の関係者通用口、休日夜間出入口、物品搬入口等として設けられる非常用扉にあっては、様々な利用者が２４時間、不規則に出入りする。したがって、防犯上からも、非常用扉の施解錠状態（特に、一旦開扉されたウイングの再施錠状態）が常に適正にチェックされている必要がある。ところが、その種の施設では一般的に非常用扉の数が多く、かつ、それらが互いに離れた位置に設置されているので、監視や警備に係る人的負担が非常に大きくなりがちである。
【００１０】
本発明は、前述のような事情に鑑みてなされたものであって、その主たる課題は、特に補助ラッチを有する３点締りの開閉装置において、平常時及び非常時のいずれにおいても、施解錠状態を適正に保持することができるとともに、非常時には簡単な操作で、ドアボルトの没入と上下補助ラッチの解除とを円滑に動作させることのできる、合理的な施解錠機構を提供することにある。
【課題を解決するための手段】
【００１１】
前述の目的を達成するため、本発明の非常用扉の開閉装置は、屋外側に向けて開扉されるウイングと、前記ウイングの屋内吊元側及び屋内戸先側にそれぞれ設けられたハンドル座を介して押し下げ方向に揺動自在に取り付けられたプッシュハンドルと、前記ウイングの戸先側に設けられて錠面からドアボルトを出没させるケースロックと、前記屋内戸先側のハンドル座から上方及び下方に延設されたロッドの先端にそれぞれ設けられる上下一対の補助ラッチと、を具備し、前記ドアボルトが、片開き式の非常用扉にあっては扉枠の縦枠、両開き式の非常用扉にあっては相手方ウイングの戸先側に設けられるストライクに係合し、かつ、前記上下の補助ラッチが扉枠の上枠及び下枠にそれぞれ係合することにより、ウイングが閉扉状態に保持される一方、前記プッシュハンドルを押し下げると、前記ドアボルトが前記ケースロック内に没入して前記ストライクとの係合が外れるとともに、前記各ロッドが前記屋内戸先側のハンドル座側に引き寄せられて前記扉枠に対する前記補助ラッチの係合が外れ、ウイングが開扉可能になる非常用扉の開閉装置において、前記ケースロックは、通電時においては前記ドアボルトの出没が電気的に制御され、開扉されたウイングが再度、閉扉されて所定時間を経過するとドアボルトが突出して施錠状態に復帰する電気錠であるとともに、前記ケースロックには屋内側から解錠ハブが係合し、前記プッシュハンドルの押し下げ操作に連動して前記解錠ハブが回動することにより、通電状態に関わらず機械的にドアボルトが没入して前記ケースロックが解錠される、との基本的構成を採用する。
【００１２】
すなわち、この発明は、戸先側のケースロックと併せて上下の補助ラッチによりウイングを施錠・閉扉する３点締り式の開閉装置において、ケースロックに、いわゆるモーター施解錠型の本締電気錠を採用したものである。この発明によれば、平常時（通電時）は電気錠の利点を活かし、モニタ等を利用して容易に施解錠状態を監視したり、記録したり、点検したりすることができる。したがって、例えば不特定多数の人が不規則に出入するような大規模施設等においても、警備や保守管理に係る人的負担を軽減することができる。さらに、モーター施解錠型の本締電気錠は、停電時には機械的操作で解錠することができるので、非常時の安全も担保される。
【００１３】
さらに、本発明の非常用扉の開閉装置は、前記の構成に加えて、前記プッシュハンドルの押し下げ操作により、通電状態に関わらず、前記補助ラッチに連結された上下の各ロッドが機械的に前記屋内戸先側のハンドル座側に引き寄せられて補助ラッチが解除される、との付加的構成を採用する。
【００１４】
この発明によれば、屋内側からプッシュハンドルを押し下げる１回の解錠操作（シングル・アクション）で、ドアボルトの没入と、上下の補助ラッチの解除という、動作位置及び動作方向の異なる３種類の動作を円滑かつ確実に連繋させることができる。これにより、非常時の円滑な避難が可能になる。
【００１５】
さらに、本発明の非常用扉の開閉装置は、前記の構成に加えて、前記ウイングの屋外側にシリンダー錠が取り付けられ、このシリンダー錠が前記ケースロックに屋外側から係合し、このシリンダー錠のキー操作により、通電状態に関わらず機械的にドアボルトが没入して前記ケースロックが解錠される、との付加的構成を採用する。
【００１６】
この発明によれば、平常時は屋外側に対する施錠を可能にして防犯性を担保しつつ、必要があれば、停電時であってもケースロックを解錠して屋内側に進入することが可能になるので、安全性や日常の保守管理効率が一層、向上する。
【００１７】
さらに、本発明の非常用扉の開閉装置は、前記の構成に加えて、前記ウングの屋外側にレバーハンドルまたはこれに準じるノブその他の把手部材が取り付けられ、該把手部材は施錠時には操作不能に拘束される一方、前記シリンダー錠のキー操作に連動して前記把手部材の拘束が解除され、前記把手部材の操作により、通電状態に関わらず、前記補助ラッチに連結された上下の各ロッドが機械的に前記屋内戸先側のハンドル座側に引き寄せられて補助ラッチが解除される、との付加的構成を採用する。
【００１８】
この発明は、屋外側からの解錠に際し、シリンダー錠のキー操作だけで上下の補助ラッチも一緒に解除するのは力学的にやや無理があることに配慮したものである。補助ラッチを解除するための把手部材を屋外側に取り付け、平常時は該把手部材の操作を拘束しておいて、シリンダー錠のキー操作により該把手部材の操作を可能にする、という設計思想により、屋内側・屋外側の両方からの解錠・開扉操作を、小さい力で軽快に行うことができる。
【００１９】
さらに、本発明の非常用扉の開閉装置は、前述の設計思想を実現するための具体的態様として、屋内戸先側のハンドル座には、上下の補助ラッチのロッドにそれぞれ連結されプッシュハンドルの押し下げ操作に連動して昇降する上下一対のリトラクタと、前記上下のリトラクタ間に係合しリトラクタの昇降に連動して回動するリトラクタカムと、前記リトラクタカムの回動を前記解錠ハブに伝える歯車と、解錠ハブの回動に連動して昇降する切替プレートと、を具備する屋内側の解錠機構が組み込まれる一方、屋内戸先側のハンドル座には、前記把手部材の基部を回動自在に保持するレバーハブと、前記レバーハブの回動を拘束するレバーストッパーと、前記レバーストッパーを昇降させるレバーストッパー昇降プレートと、前記レバーハブの操作によって昇降する屋外側リトラクタと、を具備する屋外側の解錠機構が組み込まれ、屋内側の前記切替プレートと屋外側の前記レバーストッパー昇降プレートとが前記ウイングを貫通する切替バーを介して連結され、前記シリンダー錠のキー操作により前記解錠ハブが回動すると、これに連動して前記切替プレート、前記レバーストッパー昇降プレート及び前記レバーストッパーがそれぞれ下降し、前記レバーハブの拘束が解除されて前記把手部材の操作が可能になり、前記把手部材の操作によって前記屋外側リトラクタが上昇し、該屋外側リトラクタに取り付けられて屋内側に延設されたレバー用解錠バーが前記屋内側の解錠機構を解錠側に動かして補助ラッチが解除される、との構成を採用する。
【００２０】
このような構成を採用することにより、屋内側・屋外側の両方からの解錠・開扉操作を、比較的少ない部品点数で合理的に実現することができる。
【００２１】
なお、本発明における「非常用扉」とは、扉の種類や態様について特に厳密に規定されるものではなく、日常的な利用態様にあって主に避難用に利用されることを想定した扉一般を包括する。また、本発明においては、扉が「屋内側」から「屋外側」に向けて開放されるものと設定し、各部位・部材の位置関係を、「屋内側」と「屋外側」、「戸先側（錠面側、前側）」と「吊元側（後側）」とを基準にして説明するが、これらの基準は詳細な説明の便宜上のものであって、「屋内」及び「屋外」の各空間の形態や規模、利用態様等は特に限定しない。
【発明の効果】
【００２２】
前述のように構成される本発明の非常用扉の開閉装置は、いわゆる３点締り式の開閉装置において、戸先側のケースロックにモーター施解錠型の本締電気錠を採用しているので、平常時（通電時）は電気錠の利点を活かし、モニタ等を利用して容易に施解錠状態を監視したり、記録したり、点検したりすることが可能になり、警備や保守管理に係る人的負担を軽減することができる。一方、非常時には、通電状態に係わらずプッシュハンドルの押し下げ操作によってケースロックを機械的に解錠することができるので、非常時の安全も担保される。
【００２３】
さらに、プッシュハンドルの押し下げ操作に連動して上下の補助ラッチも解除されるように構成すれば、非常時におけるより迅速な避難が可能になる。
【図面の簡単な説明】
【００２４】
【図１】本発明の実施形態に係る非常用扉の開閉装置を屋内側から見た外観図である。
【図２】前記開閉装置を屋外側から見た外観図である。
【図３】前記開閉装置を戸先側（錠面側）から見た外観図である。
【図４】前記開閉装置の上面図である。
【図５】閉扉状態にある屋内戸先側のハンドル座の内部機構を戸先側から見た要部縦断面略図である。
【図６】閉扉状態にある屋内戸先側のハンドル座の内部機構（ハンドル側略半部）をウイング側から見た要部正面略図である。
【図７】閉扉状態にある屋内戸先側のハンドル座の内部機構（ウイング側略半部）をウイング側から見た要部正面略図である。
【図８】屋内側から開扉する場合の、屋内戸先側のハンドル座の内部機構の作動状態を戸先側から見た要部縦断面略図である。
【図９】屋内側から開扉する場合の、屋内戸先側のハンドル座の内部機構（ハンドル側略半部）の作動状態をウイング側から見た要部正面略図である。
【図１０】屋内側から開扉する場合の、屋内戸先側のハンドル座の内部機構（ウイング側略半部）の作動状態をウイング側から見た要部正面略図である。
【図１１】閉扉状態にある屋外戸先側のハンドル座の内部機構を戸先側から見た要部縦断面略図である。
【図１２】閉扉状態にある屋外戸先側のハンドル座の内部機構をウイング側から見た要部正面略図である。
【図１３】屋外側から解錠する場合の、屋内戸先側のハンドル座の内部機構の作動状態を戸先側から見た要部縦断面略図である。
【図１４】屋外側から解錠する場合の、屋内戸先側のハンドル座の内部機構（ウイング側略半部）の作動状態をウイング側から見た要部正面略図である。
【図１５】屋内側から開扉する場合、及び屋外側から解錠する場合の、屋外戸先側のハンドル座の内部機構の作動状態を戸先側から見た要部縦断面略図である。
【図１６】屋内側から開扉する場合、及び屋外側から解錠する場合の、屋外戸先側のハンドル座の内部機構の作動状態をウイング側から見た要部正面略図である。
【図１７】屋外側から開扉する場合の、屋外戸先側のハンドル座の内部機構の作動状態をウイング側から見た要部正面略図である。
【図１８】屋外側から開扉する場合の、屋外戸先側のハンドル座（略上半部）及び屋内戸先側のハンドル座の内部機構の作動状態を戸先側から見た要部縦断面略図である。
【図１９】屋外側から開扉する場合の、屋内戸先側のハンドル座の内部機構（ハンドル側略半部）の作動状態をウイング側から見た要部正面略図である。
【発明を実施するための形態】
【００２５】
以下、本発明の実施の形態について図を参照して説明する。
【００２６】
［非常用扉の全体的構成］
図１〜図４は、本発明の実施形態に係る非常用扉の全体的構成を示す。図１は、非常用扉に設けられる開閉装置を屋内側（退室側）から見た外観、図２は前記開閉装置を屋外側（入室側）から見た外観をそれぞれ示している。また、図３は、前記開閉装置を戸先側（錠面側）から見た外観を示しており、図４は、ウイングを横に切断して前記開閉装置を上方から見た外観を示している。
【００２７】
（ウイング）
例示の非常用扉は、２枚のウイング（戸体）を有する両開き式の非常用扉である。本発明の開閉装置は屋内側から見て右側のウイング１０に設けられている。以下、特にことわりのない限り、該右側のウイングを単に「ウイング」という。（屋内側から見て左側のウイング１１は、その一部のみを図１及び図４に示す。）
右側のウイング１０の吊元側（図１、図４における右側）には、ウイング１０を回動自在に保持する適宜のドアヒンジ部材等（図示せず）が取り付けられる。また、開かれたウイング１０を自動的に閉じるためのドアクローザー（図示せず）等も設けられる。ただし、本発明にあっては、ドアヒンジ部材やドアクローザー等の構成は特に限定しない。
【００２８】
（ケースロック）
ウイング１０の戸先側（図１、図４における左側）には、ウイング１０の厚みに納まる箱状のケースロック２０が、ウイング１０を堀り込んで取り付けられている。このケースロック２０は、その錠面からドアボルトとしてのデッドボルト２１を出没させる本締錠である。平常時においては、ケースロック２０の錠面から突出したデッドボルト２１の先端が、相手方（左側）のウイング１１の戸先面に取り付けられたストライク２２に係合して、ウイング１０を閉扉状態に保持する。なお、ウイング１０が１枚しかない片開き式の非常用扉の場合は、ストライク２２は扉枠の縦枠（図示せず）に設けられる。
【００２９】
このケースロック２０は、デッドボルト２１の出没が電気的に制御される電気錠でもある。平常時（通電時）においては、例えばスイッチパネル、人感センサ、ＩＤ認証装置等を通じて入力される電気的信号により、ケースロック２０内のモーター（図示せず）が駆動してデッドボルト２１が出没する、いわゆるモーター施解錠型の電気錠として構成される。一般的な設置態様にあっては、ケースロック２０が解錠されてウイング１０が開いた後、再度、ウイング１０が閉じてから所定時間（数十秒程度）経過すると、ドアボルトが自動的に突出して施錠状態に復帰するように制御される。
【００３０】
不特定多数の人が不規則に出入するような大規模施設等においては、複数箇所の非常用扉の施解錠状態を集中的に監視できることが望ましく、前述のように構成されるモーター施解錠型の電気錠であれば、モニタ等を利用して容易に、施解錠状態や出入状況を遠隔監視したり、記録したり、点検したりすることができる。
【００３１】
ただし、火災や地震等によって停電が発生した場合、電気錠が解錠できなくなると避難に支障をきたす。そこで、このケースロック２０は、通電時及び停電時のいずれにおいても、電気的制御に依存せず手動で強制的に解錠することのできるように構成されている。具体的には、ケースロック２０の内部に、デッドボルト２１を機械的に出没させる適宜の従動機構（図示せず）が組み込まれる。該従動機構の操作軸２３（図３、４）は、ケースロック２０の厚み方向に配置されて、ケースロック２０の屋内外両面に開口している。そして、該操作軸２３の屋内側には、プッシュハンドル３０等の操作によって回動する解錠ハブ２４が係合する一方、該操作軸２３の屋内側にはシリンダー錠２５が係合する。本発明の開閉装置にあっては、後述する屋内側及び屋外側の解錠機構が、この操作軸２３の位置を基準にして設計されている。
【００３２】
（屋内側のハンドル座）
ウイング１０の屋内側には、プッシュハンドル３０が取り付けられる。プッシュハンドル３０は、ウイング１０の間口方向に沿って延びるハンドルバー３１と、その両端に設けられたハンドルアーム３２とを具備する。両ハンドルアーム３２は、ウイング１０の屋内吊元側及び屋内戸先側にそれぞれ取り付けられたハンドル座３３、３４を介して保持される。各ハンドル座３３、３４には、ハンドルアーム３２の基端部を保持するための支軸が、水平かつウイング１０と平行に設けられ、該支軸を介してプッシュハンドル３０が上下方向に揺動自在に保持される。
【００３３】
（補助ラッチ）
屋内戸先側のハンドル座３３、３４からは、上方及び下方にロッド４１、４２が延設され、その先端にそれぞれ補助ラッチ４３、４４が設けられている。上下の各補助ラッチ４３、４４は、ウイング１０の屋内面に取り付けられた上下の補助ラッチボックス４５、４６から、それぞれラッチヘッド４７、４８が付勢状態で突出するように構成される。
【００３４】
一方、扉枠の上枠１３には、断面Ｌ字状の部材による上側の補助ラッチ受部１４が設けられ、扉枠の下枠１５には、該下枠１５に形成した窪みによる下側の補助ラッチ受部１６が設けられる。平常時においては、これらの補助ラッチ受部１４、１６に上下の各ラッチヘッド４７、４８がそれぞれ係合して、ウイング１０が閉扉状態に保持される。
【００３５】
開かれたウイング１０が閉じる際には、各ラッチヘッド４７、４８が補助ラッチ受部１４、１６に当接して補助ラッチボックス４５、４６内に押し込まれた後、再度突出して補助ラッチ受部１４、１６に係合する。
【００３６】
なお、補助ラッチについては、例えばロッド４１、４２の先端が、そのまま上枠１３及び下枠１５に設けられた適宜のロッド受部（図示せず）等に係合してウイング１０を閉扉状態に保持するような構成に置き換えられてもよい。本発明は、補助ラッチと扉枠との詳細な係合構造を要部とするものではないので、本発明における「補助ラッチ」には前記のような簡素な構成も包含されるものとする。
【００３７】
（屋内側からの解錠・開扉操作）
前述したケースロック２０のデッドボルト２１と上下の補助ラッチ４３、４４とによって、３点締り式の開閉装置が構成される。屋内戸先側のハンドル座３３の内部には、プッシュハンドル３０の押し下げ操作等に連動してケースロック２０及び補助ラッチ４３、４４を解錠する、屋内側の解錠機構が組み込まれる。屋内側から解錠・開扉する場合、まずプッシュハンドル３０を押し下げると、屋内側の解錠機構を介して解錠ハブ２４が回動し、ケースロック２０内の従動機構が動いてデッドボルト２１がケースロック２０内に没入し、ストライク２２との係合が外れる。併せて、上下のロッド４１、４２がハンドル座３３側に引き寄せられ、扉枠に対する補助ラッチ４３、４４の係合が外れて、ウイング１０が開扉可能になる。
【００３８】
（屋外側のハンドル座）
他方、図２、図３に示すように、ウイング１０の屋外側には、ケースロック２０を屋外側から解錠するためのシリンダー錠２５が、ケースロック２０の操作軸２３と合致するように取り付けられる。また、ウイング１０を屋外側から開扉するためのレバーハンドル５０、或いはこれに準ずるノブその他適宜の把手部材が、屋外戸先側のハンドル座５１を介して取り付けられる。
【００３９】
例示のハンドル座５１においては、レバーハンドル５０の基端部を保持するための支軸が、ウイング１０と直交する方向（ウイング１０の厚み方向）に設けられる。この支軸にレバーハンドル５０が、閉扉時にあっては横向きの姿勢で、押し下げ方向に揺動自在に、かつ押上げ方向に付勢された状態で保持される。さらに、屋外戸先側のハンドル座５１と屋内戸先側のハンドル座３３との間には、ウイング１０を貫通するようにして２本の可動部材（切替バー５２、レバー用解錠バー５３）が配設される。これらの位置関係により、屋外戸先側のハンドル座５１は、屋内戸先側のハンドル座３３よりもやや低い位置に取り付けられることとなる。
【００４０】
（屋外側からの解錠・開扉操作）
この開閉装置を屋外側から解錠・開扉する場合は、まずシリンダー錠２５にキー２６を挿入して解錠側に回動させる。すると、ケースロック２０の操作軸２３が回動してデッドボルト２１が没入し、ストライク２２との係合が外れる。ただし、上下の補助ラッチ４３、４４は、シリンダー錠２５のキー操作だけではまだ解除されない。上下の補助ラッチ４３、４４を解除するには、レバーハンドル５０の操作を追加する。
【００４１】
レバーハンドル５０は、施錠時には回動しないように拘束されているが、シリンダー錠２５のキー操作により、屋内戸先側のハンドル座３３に組み込まれた屋内側の解錠機構から、屋外戸先側のハンドル座５１に組み込まれた屋外側の解錠機構を経由して拘束が解除され、押し下げ操作が可能になる。そして、レバーハンドル５０を押し下げ操作すると、その操作が再度、屋内側に伝達され、上下のロッド４１、４２が屋内吊元側のハンドル座３３側に引き寄せられて、補助ラッチ４３、４４が解除される。これら屋内外の解錠操作を連動させるのが２本の可動部材（切替バー５２、レバー用解錠バー５３）である。
【００４２】
（屋内側と屋外側の解錠機構の連繋）
すなわち、この開閉装置におけるシリンダー錠２５は、通常は電気的に施解錠されるケースロック２０を、必要に応じて屋外側から手動で解錠するために設けられた仕組みである。ただし、シリンダー錠２５のキー操作だけで上下の補助ラッチ４３、４４までも一緒に解除するのは、力学的にやや無理がある。そこで、本発明の開閉装置は、シリンダー錠２５のキー操作によって、屋内戸先側のハンドル座３３に組み込まれた屋内側の解錠機構の一部を動かし、その動作を屋外戸先側のハンドル座５１に組み込まれた屋外側の解錠機構へと連繋させてレバーハンドル５０の拘束を解除し、そこでレバーハンドル５０に回動操作を与えることにより、再度、屋内側の解錠機構を経由して補助ラッチ４３、４４を解除するように構成したものである。
【００４３】
かかる構成は、一見すると複雑であるが、屋内側・屋外側の両方からの解錠・開扉操作を、小さい力で軽快かつ円滑に、しかも比較的少ない部品点数で確実に実現し得るものとなっている。以下、それら屋内側及び屋外側の解錠機構の詳細について説明する。
【００４４】
［屋内側の解錠機構］
図５〜図１０は、図１〜図４に示した開閉装置において、屋内戸先側のハンドル座３３の内部に設けられる屋内側の解錠機構の要部を示す図である。図５〜図７は閉扉状態、図８〜図１０は屋内側から解錠・開扉操作する場合の作動状態をそれぞれ示している。
【００４５】
（ハンドル座）
屋内戸先側のハンドル座３３は、正面形状が縦長の角丸長方形をなすセンターケース６１と、センターケース６１の正面略中央に重ねて取り付けられたアーム取付台６２とを有している。センターケース６１は、背面側（ウイング１０側）が開口した略箱状の部材である。センターケース６１の上部は固定ネジ６３によってウイング１０に直接、固定され、下部は固定ネジ６４によって取付脚５４に締結されている。取付脚５４は、屋外戸先側のハンドル座５１の固定にも共用される部材で、ウイング１０を貫通する長ナット部５４１と、その屋外側の端部に形成された雄ネジ部５４２とを有し、雄ネジ部５４２は屋外戸先側のハンドル座５１に締結されている。
【００４６】
アーム取付台６２は、その正面略中央にアーム取付用凹部６２１を有している。このアーム取付用凹部６２１の内側に、短円筒状に形成されたハンドルアーム３２の基端部が、アーム軸部材３５を介して取り付けられる。このアーム軸部材３５が、ハンドルアーム３２を揺動自在に保持するための支軸となる。図示は省くが、屋内吊元側のハンドル座３４も同様の構造によってハンドルアーム３２の基端部を揺動自在に保持するとともに、該ハンドル座３４に内蔵されたバネ部材（図示せず）を介してハンドルアーム３２を押し上げ方向に付勢している。
【００４７】
屋内戸先側のハンドルアーム３２の基端部には、ウイング１０側に向けて延びるアーム突起３６が形成されている。アーム突起３６は、アーム取付台６２の背面側開口から、センターケース６１の正面略中央に形成された通孔６１１を通じて、その先端をセンターケース６１の内部に突出させている。プッシュハンドル３０を押し下げると、このアーム突起３６が上向きに押し上げられる。この動作が、屋内側の解錠機構を解錠側に動かすための起点となる。
【００４８】
センターケース６１内に組み込まれる屋内側の解錠機構の構成は、センターケース６１の厚み方向に沿って大まかに二分される。センターケース６１の厚み方向における略中間位置には、センターケース中仕切プレート６５（図５、図７参照）が取り付けられている。センターケース中仕切プレート６５は、センターケース６１の内幅の略一杯に納まる幅を備えた薄い板体からなる固定部材で、センターケース６１内の四隅近傍に設けられたネジ止め部６１２（図６参照）に、ウイング１０側から、固定ネジ６６（図７参照）によって留め付けられている。説明の便宜のため、このセンターケース中仕切プレート６５よりもハンドル側の略半部に組み込まれる機構を図６及び図９に示し、このセンターケース中仕切プレート６５よりもウイング１０側の略半部に組み込まれる構成を図７及び図１０に示す。
【００４９】
なお、センターケース６１の最もウイング１０側には、屋内側の解錠機構に対する蓋となるセンターケースカバープレート６７が取り付けられる。図７には、このセンターケースカバープレート６７を、センターケース６１から取り外して側方に並置した状態も示している。
【００５０】
屋内側の解錠機構を構成する主要な部材は、上下の補助ラッチ４３、４４にそれぞれ連結されプッシュハンドル３０の押し下げ操作に連動して昇降する昇降する上下一対のリトラクタ６８、６９、それら上下のリトラクタ６８、６９の間に係合し上下のリトラクタ６８、６９の昇降に連動して回動するリトラクタカム７１、リトラクタカム７１と同軸状に取り付けられてリトラクタカム７１と一体的に回動する大歯車７２、大歯車７２に噛合する小歯車７３、小歯車７３と同軸状に取り付けられてケースロック２０を解錠させる解錠ハブ２４、解錠ハブ２４の回動に連動して昇降する切替プレート７４、等である。以下、これらの部材について詳述する。
【００５１】
（リトラクタ）
上下のリトラクタ６８、６９はいずれも、センターケース中仕切プレート６５よりもハンドル側の略半部一杯に納まる厚みと、センターケース６１の内幅の略一杯に納まる幅とを有する枠状の可動部材である。図６に示すように、上側のリトラクタ６８は、その上部に略門形のロッド連結部６８１を有しており、このロッド連結部６８１をセンターケース６１の上壁に突き当てるようにして、センターケース６１の略上半部に収容される。ロッド連結部６８１には、雌ネジ孔を有する略筒状のロッド連結ピース４１１が、雌ネジ孔を上向きにして取り付けられている。ロッド連結ピース４１１はセンターケース６１の上壁に形成された通孔６１３を通じてセンターケース６１の上方に突出しており、その突出部分に上側のロッド４１の下端雄ネジ部が螺合されている。
【００５２】
また、下側のリトラクタ６９は、その下部に略門形のロッド連結部６９１を有しており、このロッド連結部６９１をセンターケース６１の下壁に突き当てるようにして、センターケース６１の略下半部に収容される。このとき、下側のリトラクタ６９の上部横桟６９２が、ちょうどアーム突起３６の上面に載っており、アーム突起３６の押し上げによって、この上部横桟６９２が持ち上げられる。ロッド連結部６９１には、雌ネジ孔を有する略筒状のロッド連結ピース４２１が、雌ネジ孔を下向きにして取り付けられている。ロッド連結ピース４２１はセンターケース６１の下壁に形成された通孔６１４を通じてセンターケース６１の下方に突出しており、その突出部分に下側のロッド４２の上端雄ネジ部が螺合されている。
【００５３】
上側のリトラクタ６８の、ウイング１０側から見て左側には、カム係合部６８３が下向きに延設されている。また、下側のリトラクタ６９の、ウイング１０側から見て右側にも、カム係合部６９３が上向きに延設されている。それらカム係合部６８３、６９３の内側（センターケース６１の縦中心軸側）には、それぞれ正面視略コ字状に開口するカムアーム係合凹部６８４、６９４が、互いの開口を対向させるように形成されている。
【００５４】
（リトラクタカム）
リトラクタカム７１は、短円筒状をなすカム軸部７１１と、その側面から径方向反対向きに突設する２本のカムアーム７１２、７１３とを有する可動部材である。カム軸部７１１は、センターケース６１の正面壁からウイング１０側に向けて突設された円柱状の軸ピン部６１５（図５、図６）に、回動自在に挿装されている。カム軸部７１１の、ウイング１０側の端面には、径方向に切り欠かれたすり割溝７１４が形成されている。
【００５５】
カムアーム７１２、７１３の先端は、上下のリトラクタ６８、６９のカムアーム係合凹部６８４、６９４にそれぞれ係合している。カムアーム７１２、７１３の先端は、カムアーム係合凹部６８４、６９４内で円滑に回動しうるように、正面視円弧状に形成されて、その首元が少し細くなっている。このリトラクタカム７１がカム軸部７１１周りに数十度、回動することにより、カムアーム７１２、７１３の先端にそれぞれ係合している上下のリトラクタ６８、６９が、センターケース６１の内面に沿って、互いに反対向きに昇降することとなる。
【００５６】
下側のリトラクタ６９の、ウイング１０側から見て左側の肩部には、上向きに開口するバネ収容孔６９５が形成されている。その中には圧縮コイルバネ６９６が挿入され、圧縮コイルバネ６９６の上端が上側のリトラクタ６８のカム係合部６８３に押し当てられて、上下のリトラクタ６８、６９が常時、互いの間隔を押し拡げる向き、つまり補助ラッチのロッド４１、４２を上下に押し出す向きに付勢される。
【００５７】
（切替プレート）
リトラクタカム７１のウイング１０側には、センターケース中仕切プレート６５のウイング１０側に重ねるようにして、切替プレート７４が取り付けられている。切替プレート７４は、センターケース６１の内幅の略一杯に納まる幅を備えた薄い板体からなる可動部材で、解錠ハブ２４が回動したとき、その動作に連動して昇降する。切替プレート７４の詳細な構成と作用については後述する。
【００５８】
（歯車・解錠ハブ）
リトラクタカム７１のウイング１０側には、センターケース中仕切プレート６５及び切替プレート７４を間に挟んで、大歯車７２が、リトラクタカム７１と同軸状に取り付けられている。大歯車７２の軸部７２１のウイング１０側の端部は、センターケースカバープレート６７に形成された軸受孔６７１に挿入されている。大歯車７２の軸部７２１のハンドル側の端部は、切替プレート７４に形成された縦長円形の遊孔７４１、及びセンターケース中仕切プレート６５に形成された円形の通孔６５１に挿通され、該端部の軸心を挟む対向二ヶ所に突設された係合突起７２２をリトラクタカム７１のすり割溝７１４に係合させている。これにより、大歯車７２は、リトラクタカム７１と一体的に、同じ角度だけ回動するように保持される。
【００５９】
大歯車７２の上側には、小歯車７３が、大歯車７２と同一面内で噛合するように取り付けられている。小歯車７３は短筒状の軸部７３１を有し、その軸部７３１が解錠ハブ２４のハンドル側の端部近傍に挿装されて、解錠ハブ２４の周囲を回動するように保持される。小歯車７３の軸部７３１の内側には、軸心を挟む対向二ヶ所に、正面視略三角形状の小突起７３２が突設されている。
【００６０】
解錠ハブ２４は、細長い略円柱状の本体軸部２４１を有し、本体軸部２４１の中間部分が、センターケースカバープレート６７に形成された解錠ハブ挿通孔６７２に挿通されて回動自在に保持される。解錠ハブ２４の先端（ウイング１０側の端部）は、周面四カ所を欠削して断面十字状に形成され、該十字部分がケースロック２０の屋内側開口に挿し込まれて、ケースロック２０の従動機構に係合している。
【００６１】
解錠ハブ２４のハンドル側の端部には、細径の軸ピン部２４２が突設されており、この軸ピン部２４２が、センターケース中仕切プレート６５に形成された軸受孔に挿入されている。軸ピン部２４２に連続する部分には、周面の対向二ヶ所を互いに平行に欠削した断面一文字状の小歯車係合部２４３が形成されている。この小歯車係合部２４３の外側に小歯車７３が挿装されて、図７に示すように、小歯車係合部２４３の対向二面に小歯車７３の小突起７３２がそれぞれ干渉することにより、解錠ハブ２４と小歯車７３とが、互いに連動して回動する。
【００６２】
（切替カム・切替プレート）
解錠ハブ２４の本体軸部２４１における、小歯車７３のウイング１０側に重なる位置には、切替カム２４４が形成されている。切替カム２４４は、解錠ハブ２４の径方向に張り出した薄い円板状の部分で、解錠ハブ２４の本体軸部２４１と一体に形成されている。図７中に想像線で示すように、切替カム２４４をウイング１０側から見て、その右上付近の位置に、切替カム２４４の周縁を略扇形に切り欠いた切替カム係合部２４５が形成されている。切替カム係合部２４５の下側縁は、切替プレート７４に突設された切替プレート作動ピン７４２に、その下側から当接している。切替プレート作動ピン７４２は、小さい円柱状の部材で、切替プレート７４をウイング１０側から見た右上付近に、ウイング１０側に突出するように固着されている。そして、解錠ハブ２４が回動すると、切替カム２４４が切替プレート作動ピン７４２を押し下げて、切替プレート７４を下降させる。
【００６３】
切替プレート作動ピン７４２には、捻じりコイルバネ７４３が係合している。捻じりコイルバネ７４３は、一方の脚先をセンターケース６１の側壁内面に当接させ、他方の脚先に形成された屈曲部分７４４を切替プレート作動ピン７４２の側面に係止させて、切替プレート作動ピン７４２が、その上昇位置及び下降位置に、それぞれ節度感をもって軽快に位置決めされるように付勢している。
【００６４】
切替プレート７４は、その上部が解錠ハブ２４付近に及び、下部が下側のリトラクタ６９のロッド連結部６９１付近に及ぶように、センターケース中仕切プレート６５のウイング１０側に重ねて収容される。切替プレート７４の上部には、解錠ハブ２４及び小歯車７３との干渉を避けるためのＵ字状切欠部７４５が形成されており、また中間部には、大歯車７２の軸部７２１との干渉を避けるための、縦長円形の遊孔７４１が形成されている。さらに、切替プレート７４の下部には、正面視縦長矩形の窓孔７４６が形成されており、その内側にはレバー用解錠バー５３と、下側のリトラクタ６９の中段横桟に突設された押上突部６９７とが挿通される。切替プレート７４の下端近傍には、切替バー５２が固着されている。切替バー５２は、丸棒状の部材で、ウイング１０を貫通して屋外側まで延び、その先端を屋外戸先側のハンドル座５１の内部に臨ませている。
【００６５】
（屋内側からの解錠動作）
前述の部材を中心にして構成される屋内側の解錠機構による、解錠時における一連の動作を、図８〜図１０を参照しつつ説明する。
【００６６】
まず、プッシュハンドル３０の押し下げ操作（白矢印ａ）により、アーム突起３６が上向きに押し上げられる（白矢印ｂ）。すると、アーム突起３６の上面に上部横桟６９２を載せている下側のリトラクタ６９全体が、アーム突起３６の押し上げ分Ｈと同じ高さＨだけ持ち上げられる（白矢印ｃ）。このとき、下側のリトラクタ６９のロッド連結部６８１に連結された下側のロッド４２も一緒に上昇し（白矢印ｄ）、下側の補助ラッチ４４が解除される（図示せず）。
【００６７】
下側のリトラクタ６９が押し上げられることにより、下側のリトラクタ６９にカムアーム７１３を係合させているリトラクタカム７１が、ウイング１０側から見て左周りに回動する（白矢印ｅ）。反対側のカムアーム７１２が上側のリトラクタ６８を引き降ろし、上側のリトラクタ６８全体が、下側のリトラクタ６９の上昇分と同じ高さＨだけ下降する（白矢印ｆ）。このとき、上側のリトラクタ６８のロッド連結部６８１に連結された上側のロッド４１も一緒に下降し（白矢印ｇ）、上側の補助ラッチ４３が解除される（図示せず）。
【００６８】
また、リトラクタカム７１の回動に伴って、そのウイング１０側に係合している大歯車７２が、リトラクタカム７１と同じ向きに同じ角度だけ回動する（白矢印ｊ）。大歯車７２に噛合している小歯車７３は、大歯車７２と反対の向き（ウイング１０側から見て右回り）に約９０度、回動する。このとき、小歯車７３の軸部の内側に形成された二ヶ所の小突起７３２が、解錠ハブ２４の小歯車係合部２４３を押し回して、小歯車係合部２４３を横向きから縦向きにするところまで回動させる。こうして、解錠ハブ２４が小歯車７３と同じ向きに約９０度、回動し（白矢印ｋ）、その先端十字部分がケースロック２０内の従動機構を解錠側に動かすことにより、デッドボルト２１が没入してケースロック２０が解錠される。
【００６９】
プッシュハンドル３０の押し下げ操作からここまでは、とくにタイムラグなく、一気に作動する。ケースロック２０及び上下の補助ラッチ４３、４４が解除されたウイング１０は、プッシュハンドル３０を押している力によって、そのまま屋外側に開かれる。ウイング１０が開かれて、あるいは開かれたウイング１０が再度、閉じて、プッシュハンドル３０を押している力が無くなると、上側のリトラクタ６８及び下側のリトラクタ６９は、圧縮コイルバネ６９６の反発力によって互いに離れる向きに押し戻される。
【００７０】
なお、前述の解錠・開扉操作によって、切替カム２４４も解錠ハブ２４と一体に回動し（白矢印ｍ）、略扇形に切り欠かれた切替カム係合部２４５が切替プレート作動ピン７４２を押し下げる。その結果、切替プレート７４が下降し（白矢印ｎ）、切替プレート７４の下部に固着された切替バー５２も、水平姿勢を保持したまま下方に平行移動する（白矢印ｐ）。切替プレート７４及び切替バー５２の下降動作は、屋内側からの解錠・開扉操作には関与しないのであるが、この動作を屋外側からの解錠にも利用するという設計意図により、屋内側からの解錠時においても付随的に生じさせている。これについては、後述する屋外側からの解錠機構の動作説明において再度、説明する。
【００７１】
［屋外側の解錠機構］
図１１、図１２、図１５〜図１７は、図１〜図４に示した開閉装置において、屋外戸先側のハンドル座５１の内部に設けられる屋外側の解錠機構の要部を示す図である。図１１及び図１２は閉扉状態、図１５〜図１７は屋外側から解錠・開扉操作する場合の作動状態をそれぞれ示している。また、図１３、図１４、図１８、図１９は、屋外側からの解錠・開扉操作に連繋する屋内側の解錠機構の作動状態をそれぞれ示している。
【００７２】
（ハンドル座）
屋外戸先側のハンドル座５１は、正面形状が縦長の角丸長方形をなすレバーケース８１内に組み込まれる。レバーケース８１は、背面側（ウイング１０側）が開口した略箱状の部材である。レバーケース８１の正面壁の背面には、雌ネジ孔を有する筒状の脚取付部８１１が上下二ヶ所に設けられ、そこに取付脚５４、５５が背面側から締結されている。上下の取付脚５４、５５はウイング１０を貫通するように配置されており、上側の取付脚５４の他端には屋内戸先側のハンドル座３３の下側の固定ネジ６４が締結され、下側の取付脚５５の他端にはウイング１０の屋内側から固定ネジ５６が締結される。
【００７３】
レバーケース８１の略中央には、円錐台形状に膨出するレバー取付部８１２が設けられている。レバー取付部８１２の中央には円形のレバー取付孔８１３が形成されるとともに、その背面（ウイング１０側）には、レバー取付孔８１３よりもやや大径の円筒状凹部８１４が形成されている。レバーハンドル５０は、レバー取付部８１２の背面に組み込まれたレバーハブ８２を介して取り付けられ、施錠時にあっては横向きの姿勢に拘束され、解錠時には押し下げ方向に揺動自在となる。
【００７４】
レバーハブ８２は、略筒状のレバー軸部８２１を有しており、レバー軸部８２１のウイング１０側の端部がウイング１０内に挿入される一方、レバー軸部８２１のハンドル側の端部がレバーケース８１の円筒状凹部８１４内に回動自在に収容される。レバーハンドル５０の基部とレバーハブ８２とは、それぞれの軸芯に形成した角孔に嵌挿されるレバー角芯８２２を介して連結され、一体的に回動する。このレバーハブ８２が、レバーハンドル５０を保持するための支軸となる。
【００７５】
レバー軸部８２１には、少なくとも二ヶ所（例示形態では三ヶ所）の突部が、径方向外側に向かって突設されている。うち一ヶ所の突部は、レバーハンドル５０が横向きに保持される施錠状態において下向きに突出するレバーストッパー係合突部８２３である。もう一ヶ所の突部は、レバーハンドル５０の把手とは反対の向きに突出するリトラクタ係合突部８２４である。レバーケース８１の正面壁の背面には、レバーハブ８２の回動位置に応じて前記二ヶ所の係合突部８２３、８２４のいずれかに当接するピン状の回動範囲規制突起８１５が突設されている。
【００７６】
屋外側の解錠機構を構成する主要な部材は、このレバーハブ８２、レバーハブ８２の回動を拘束するレバーストッパー８３、レバーストッパー８３を昇降させるレバーストッパー昇降プレート８４、レバーハブ８２の操作によって昇降する屋外側リトラクタ８５、屋外側リトラクタ８５の昇降動作を屋内側に伝えるレバー用解錠バー５３、等である。以下、これらの部材について詳述する。
【００７７】
なお、レバーケース８１の最もウイング１０側には、屋外側の解錠機構に対する蓋となるレバーケースカバープレート８６が取り付けられる。図１２には、このレバーケースカバープレート８６をレバーケース８１から取り外して側方に並置した状態も示している。
【００７８】
（レバーストッパー）
レバーストッパー８３は、レバーケース８１の厚み及び内幅の略一杯に納まる枠状の可動部材である。レバーストッパー８３は、下側の取付脚５４を囲むようにしてレバーケース８１の略下半部に組み込まれ、レバーケース８１の内面に沿って一定範囲を昇降する。レバーストッパー８３をウイング１０側から見た左下隅部とレバーケース８１の側壁との間には圧縮コイルバネ８３１が介装されており、この圧縮コイルバネ８３１がレバーストッパー８３の昇降動作に節度感を付与する。
【００７９】
レバーストッパー８３の上縁部には、上向きに開口するレバーハブ係合凹部８３２が形成されている。図１２に示すように、レバーストッパー８３が上昇位置にあるとき、このレバーハブ係合凹部８３２がレバーストッパー係合突部８２３に係合して、レバーハブ８２の回動を拘束し、レバーハンドル５０の操作を不能にする。そして、図１５及び１６に示すように、このレバーストッパー８３が下降することにより、レバーハブ係合凹部８３２がレバーストッパー係合突部８２３から外れ、レバーハブ８２の拘束が解かれてレバーハンドル５０の操作が可能になる。
【００８０】
（レバーストッパー昇降プレート）
レバーストッパー８３を直接、昇降させるのが、レバーストッパー８３の上部に連結されるレバーストッパー昇降プレート８４である。レバーストッパー昇降プレート８４は、屋外側リトラクタ８５よりもやや幅狭の薄い板体からなる可動部材であり、屋外側リトラクタ８５及びレバーストッパー８３のウイング１０側に、レバーケースカバープレート８６に重ねるようにして組み込まれる。
【００８１】
レバーストッパー昇降プレート８４は、レバーケース８１の上半部からレバーハブ８２をかわすようにして、片側下部をレバーケース８１の下半部まで延出させた形状をなしており、該延出部分の下端近傍が、連結ピン８４１を介して、レバーストッパー８３の片側上部に連結されている。なお、レバーストッパー８３における連結ピン８４１の側方には、レバーハブ係合凹部８３２を挟んで、連結ピンと同様のガイドピン８４２も取り付けられている。連結ピン８４１及びガイドピン８４２は、レバーケースカバープレート８６に形成された昇降案内用長孔８６１にそれぞれ遊挿されて、レバーストッパー８３の昇降を案内する。
【００８２】
レバーストッパー昇降プレート８４の上部には、上側の取付脚５４との干渉を避けるために、縦長円形の遊孔８４３が形成されている。レバーストッパー昇降プレート８４の上端近傍には、屋内側から延設された切替バー５２が嵌挿されている。そして、屋内側の切替プレート７４が下降すると、この切替バー５２を介して、屋外側のレバーストッパー昇降プレート８４も一体的に下降する。
【００８３】
（屋外側リトラクタ）
屋外側リトラクタ８５は、レバーケース８１の厚み及び内幅の略一杯に納まる可動部材である。屋外側リトラクタ８５は、その中央付近に形成された縦長円複合形の遊孔８５１に切替バー５２及び上側の取付脚５４を遊挿させた状態で、レバーケース８１の略上半部に組み込まれ、レバーケース８１の内面に沿って一定範囲を昇降する。屋外側リトラクタ８５の下縁部は、レバーハブ８２におけるレバー軸部８２１及びリトラクタ係合突部８２４の上面に沿う形状に形成されて、それらの上面に載置されている。
【００８４】
図１５及び１６に示すように、レバーストッパー８３が下降し、レバーハブ係合凹部８３２がレバーストッパー係合突部８２３から外れた状態において、レバーハンドル５０を押し下げると、これに連動してレバーハブ８２全体が数十度回動し、リトラクタ係合突部８２４が屋外側リトラクタ８５の下縁部を押し上げる。
【００８５】
屋外側リトラクタ８５の上部とレバーケース８１の上部との間には、それぞれに左右一対のバネ収容孔８５２、８１６を設けて圧縮コイルバネ８５３が挿入されている。これらの圧縮コイルバネ８５３が、屋外側リトラクタ８５を常時、下向きに付勢してレバーハブ８２に押し付けており、レバーハンドル５０の押し下げ操作に対して戻り方向の付勢力を与える。
【００８６】
屋外側リトラクタ８５の上部付近には、屋内側のハンドル座３３に向かって延びるレバー用解錠バー５３が固着されており、これが屋外側リトラクタ８５と一体的に昇降する。レバー用解錠バー５３は、丸棒状の部材で、ウイング１０を貫通して屋内側まで延び、その先端が、屋内側の下側のリトラクタ６９の中段横桟に突設された押上突部６９７の下面に当接するように位置決めされている。
【００８７】
（屋外側からの解錠動作）
前述の部材を中心にして構成される屋外側の解錠機構による、解錠時における一連の動作を、図１３〜図１９を参照しつつ説明する。なお、前述した屋内側からの解錠時の動作と共通する動作（向き及び大きさが同一の動作）については、それを示す白矢印に共通の符号を付す。
【００８８】
屋外側からの解錠・開扉操作は、屋外側からシリンダー錠２５にキー２６を挿入して回動させる操作（白矢印ｑ）が起点になる。この操作により、ケースロック２０内の従動機構が解錠側に動いてデッドボルト２１が没入する。このとき、ケースロック２０の屋内側に係合している解錠ハブ２４も解錠側に回動し（白矢印ｋ）、これと一体に切替カム２４４も回動して（白矢印ｍ）、切替カム係合部２４５が切替プレート作動ピン７４２を押し下げる。これにより、切替プレート７４が下降し（白矢印ｎ）、切替プレート７４の下部に固着された切替バー５２も、水平姿勢を保持したまま下方に平行移動する（白矢印ｐ）。
【００８９】
なお、図１３及び図１４に示すように、解錠ハブ２４の回動（白矢印ｋ）に際し、解錠ハブ２４の本体軸部２４１に形成された小歯車係合部２４３は、解錠ハブ２４に挿装された小歯車７３の小突起７３２に干渉しない向きに回動して、横向きから縦向きになる。よって、屋外側からキー２６でケースロック２０を解錠する段階では、小歯車７３及び大歯車７２は不動のままである。
【００９０】
屋内側の解錠機構を介して切替バー５２が押し下げられると、この動作がウイング１０を貫通して屋外側に連繋され、切替バー５２に嵌装されたレバーストッパー昇降プレート８４が下降する（白矢印ｒ）。さらに、レバーストッパー昇降プレート８４に連結されたレバーストッパー８３も、同じだけ下降する（白矢印ｓ）。すると、レバーストッパー８３によるレバーハブ８２の拘束が解かれて、レバーハンドル５０の操作が可能になる。
【００９１】
この状態でレバーハンドル５０を押し下げる（白矢印ｔ）と、レバーハブ８２に突設されたリトラクタ係合突部８２４が上向きに回動して（白矢印ｕ）屋外側リトラクタ８５を押し上げる（白矢印ｖ）。これに連動して、屋外側リトラクタ８５の上部に固着されたレバー用解錠バー５３も、水平姿勢を保持したまま一緒に上昇する。
【００９２】
レバー用解錠バー５３が上昇すると、屋内側に延びたその先端が、下側のリトラクタ６９の中段横桟に突設された押上突部６９７の下面を上向きに押し上げる（白矢印ｗ）。これにより、下側のリトラクタ６９全体が持ち上げられ（白矢印ｃ）、下側のリトラクタ６９のロッド連結部６８１に連結された下側のロッド４２も一緒に上昇して（白矢印ｄ）、下側の補助ラッチ４４が解除される（図示せず）。
【００９３】
また、下側のリトラクタ６９に係合しているリトラクタカム７１が、ウイング１０側から見て左周りに回動し（白矢印ｅ）、リトラクタカム７１の反対側に係合している上側のリトラクタ６８が、同じだけ下降する（白矢印ｆ）。これにより、上側のリトラクタ６８のロッド連結部６８１に連結された上側のロッド４１も一緒に下降し（白矢印ｇ）、上側の補助ラッチ４３が解除される（図示せず）。
【００９４】
レバーハンドル５０の押し下げ操作からここまで、とくにタイムラグなく、一気に作動する。ケースロック２０及び上下の補助ラッチ４３、４４が解除されたウイング１０は、レバーハンドル５０を引く力によって屋外側に開かれる。
【００９５】
なお、リトラクタカム７１が回動するとき、これに伴って大歯車７２も回動し（白矢印ｊ）、これに噛合している小歯車７３も回動するが、解錠ハブ２４の小歯車係合部２４３は既に縦向きになっているので、小歯車７３の小突起７３２は、解錠ハブ２４の小歯車係合部２４３に干渉しない。
【００９６】
ウイング１０が開かれて、あるいは開かれたウイング１０が再度、閉じて、レバーハンドル５０を押している力が無くなると、上側のリトラクタ６８及び下側のリトラクタ６９は、圧縮コイルバネの反発力によって互いに離れる向きに押し戻される。これにより、リトラクタカム７１も反対向き（ウイング１０側から見て右周り）に回動し、これに連動して大歯車７２及び小歯車７３も反対向きに回動する。
【００９７】
ただし、この段階では、小歯車７３の小突起７３２が解錠ハブ２４の小歯車係合部２４３に干渉しないので解錠ハブ２４は回動せず、小歯車係合部２４３は縦向きになったままである。したがって、切替プレート７４も下降位置にそのまま残される。この状態では、レバーハンドル５０の操作はまだ拘束されていないので、一旦、閉扉してしまっても、レバーハンドル５０を再度、押し下げれば補助ラッチ４３、４４が解除され、開扉可能になる。停電時であれば、ケースロック２０が施錠状態に復帰せず、屋外側からの進入が可能な状態のまま保持される。
【００９８】
平常時（通電時）であれば、ウイング１０が閉じて一定時間（例えば数十秒程度）を経過した後、電気錠の作動によってケースロック２０が再施錠され、解錠ハブ２４が施錠位置に向けて復帰する。このとき、解錠ハブ２４に形成された切替カム２４４が切替プレート作動ピン７４２を持ち上げ、切替プレート７４を上昇させる。これに伴って屋外側のレバーストッパー昇降プレート８４及びレバーストッパー８３が上昇し、レバーハブ８２が拘束されてレバーハンドル５０の操作が不能になる。
【００９９】
以上のように、本発明の非常用扉の開閉装置は、屋内側からの解錠・開扉操作と、屋外側からの解錠・開扉操作とが、主要な部品を共用して合理的に連繋するように構成されている。しかも、その解錠・開扉操作はきわめて簡単であって、屋内側からはプッシュハンドルの３０の押し下げのみのシングル・アクション、屋外側からはシリンダー錠２５のキー操作とレバーハンドル５０の押し下げのダブル・アクションで足りる。ケースロック２０にはモーター施解錠型の本締電気錠を用いるので、停電時でも開扉可能である。かかる構成により、施設の用途や利用態様に応じて施解錠状態を柔軟に管理することができるので、施設の維持・運用面でも有利である。
【０１００】
また、実施形態に示した主要部品は、合理的かつ経済的に設計・製作されており、施解錠操作全般にわたって確実かつ円滑に動作する。ウイングの開き勝手が左右反対になっても、大部分の部品は、そのまま流用可能である。
【０１０１】
なお、以上の説明では両開き式の非常用扉について説明したが、片開き式の非常用扉にあっては、扉枠の縦枠にストライクを設けることにより、前述と同様にして実施することができる。また、本発明は、前述した施解錠機構の基本的構成を逸脱しない範囲で、構成部品の細部形状や互いの係合状態、位置関係等を、適宜改変して実施することはもちろん可能である。
【産業上の利用可能性】
【０１０２】
本発明の非常用扉の開閉装置は、一般的な出入口扉にも広く適用することができる。
【符号の説明】
【０１０３】
１０  右側のウイング
１１  左側のウイング
１３  上枠
１５  下枠
２０  ケースロック
２１  デッドボルト（ドアボルト）
２２  ストライク
２３  操作軸
２４  解錠ハブ
２５  シリンダー錠
２６  キー
３０  プッシュハンドル
３３  屋内戸先側のハンドル座
３４  屋内吊元側のハンドル座
４１  上側のロッド
４２  下側のロッド
４３  上側の補助ラッチ
４４  下側の補助ラッチ
５０  レバーハンドル（把手部材）
５１  屋外戸先側のハンドル座
５２  切替バー
５３  レバー用解錠バー
６１  センターケース
６５  センターケース中仕切プレート
６７  センターケースカバープレート
６８  上側のリトラクタ
６９  下側のリトラクタ
７１  リトラクタカム
７２  大歯車
７３  小歯車
７４  切替プレート
８１  レバーケース
８２  レバーハブ
８３  レバーストッパー
８４  レバーストッパー昇降プレート
８５  屋外側リトラクタ
８６  レバーケースカバープレート
【図１】
2013213375.tif 000003
【図２】
2013213375.tif 000004
【図３】
2013213375.tif 000005
【図４】
2013213375.tif 000006
【図５】
2013213375.tif 000007
【図６】
2013213375.tif 000008
【図７】
2013213375.tif 000009
【図８】
2013213375.tif 000010
【図９】
2013213375.tif 000011
【図１０】
2013213375.tif 000012
【図１１】
2013213375.tif 000013
【図１２】
2013213375.tif 000014
【図１３】
2013213375.tif 000015
【図１４】
2013213375.tif 000016
【図１５】
2013213375.tif 000017
【図１６】
2013213375.tif 000018
【図１７】
2013213375.tif 000019
【図１８】
2013213375.tif 000020
【図１９】
2013213375.tif 000021